(57)【要約】【課題】蓋体に直線状の長溝と、この長溝の底部に開口される穴とを設け、この長溝及び穴から引き出される電源コードや接続ケーブル等のコード類に方向性を与えると共に、外部に引き出されたコード類を意識することなく縦置き、横置き、平置き、壁掛け設置等のように自由な設置が可能な電子機器を提供する。【解決手段】電子機器本体が収納される筐体１１に対して着脱自在に装着される蓋体１２を有し、電子機器本体に接続されたコード類２５，４１を蓋体１２に設けられた穴３３から引き出すようにした電子機器において、蓋体１２に、穴３３が底部に設けられ且つ直線状に延在されて端部まで達する長溝３２を設ける。【選択図】　　　　図１
2004071770.tif 000002
【特許請求の範囲】
【請求項１】
電子機器本体が収納される筐体に対して着脱自在に装着される蓋体を有し、上記電子機器本体に接続されたコード類を上記蓋体に設けられた穴から引き出すようにした電子機器において、
上記蓋体に、上記穴が底部に設けられ且つ直線状に延在されて端部まで達する長溝を設けたことを特徴とする電子機器。
【請求項２】
上記蓋体は、上記筐体の少なくとも２面に渡る平面部を有し、上記長溝は、上記平面部の１面に延在されると共に当該平面部の他の面に一端が開口するように形成され、上記穴は上記他の面と反対側に開口されている長穴であることを特徴とする請求項１記載の電子機器。
【請求項３】
上記長溝の底部には、上記コード類の引き出し方向を規制するため当該長溝と同方向に延在された面支持部を設けたことを特徴とする請求項１記載の電子機器。
【請求項４】
上記長溝は、断面形状が円弧状、逆台形状又はコ字状をなす樋状をなしており、その底部に上記穴を延在させて一端に開口させたことを特徴とする請求項２記載の電子機器。
【請求項５】
上記蓋体及び／又は筐体には、スタンドが取り付けられる取付部を設けたことを特徴とする請求項１記載の電子機器。
【発明の詳細な説明】
【０００１】
【発明の属する技術分野】
本発明は、電子機器本体が収納される筐体に対して着脱自在に装着される蓋体に設けた穴から電源コードや信号ケーブル等のコード類を引き出すようにした電子機器に関するものである。
【０００２】
【従来の技術】
従来の、この種の電子機器においては、例えば、電子機器本体の電源コードは、絶縁性のゴム状弾性体からなる支持部材を介して筐体に支持固定されており、その支持部材から電源コードが外部に引き出されている。また、従来の電子機器では、外部機器と電気的に接続するための接続コネクタの接続部が筐体の外部に露出されているものがほとんどであるため、その接続部は一般に、使用や操作の際に目に付かないように筐体の背面にレイアウトされている。そのため、電子機器のデザインや設計上から接続部の露出が大きな制約となっており、また、装置を使用するユーザーにとっては接続部が筐体の背面にあるため、電子機器自体の設置、電源コードや接続ケーブルの配線等が非常にやり難く煩雑になっていた。
【０００３】
また、近年では、外部装置と接続するための接続ケーブルが接続される接続部を蓋体でカバーするようにした電子機器が提供されている。かかる電子機器としては、例えば、この出願人が先に特許出願したもので、この出願時において既に公知とされている図１０に示すようなものが知られている。
【０００４】
この図１０に示す電子機器は、ディスク状記録媒体に記録されている映像信号や音声信号を再生し、ディスプレイに映像情報として表示すると共にスピーカ装置で音声情報として発生するようにしたＤＶＤプレーヤであり、このＤＶＤプレーヤを背面側から見た形態が図示されている。図１０において、符号１は、プレーヤ本体が収納された筐体、２は、筐体１のスタンドを兼ねた蓋体である。
【０００５】
筐体１は、適当な厚みを有する長方形の中空体からなり、その背面の下部には電源コードや信号ケーブル等のコード類を収納することができる凹部３が設けられている。凹部３は背面側と底面側と一方の側面側とに開口されており、底面に対向する内面には、ディスプレイやスピーカ装置等の外部装置と電気的に接続するための多数の接続具が配置された接続部４が設けられている。
【０００６】
この筐体１に着脱自在に装着されて凹部３を開閉する蓋体２は、凹部３を開閉する蓋部５と、筐体を立てた状態で支持するスタンド部６とから構成されている。蓋部５は、凹部３の背面側を覆う背面部５ａと、凹部３の底面側を覆う底面部５ｂと、凹部３の側面側を覆う側面部５ｃとを有している。この蓋部５には、側面部５ｃから背面部５ａに渡って切り欠かれた切欠き部７が設けられている。この切欠き部７には、筐体１に内蔵された電子機器本体の電源コードや接続部４に接続される接続ケーブル等の多数のコード類が一まとめにされて挿通される。
【０００７】
また、スタンド部６は、楕円形の底面部６ａと、この底面部６ａの上面に設けられ蓋部５の底面部５ｂの下面に連結される連結部６ｂとを有している。このような構成を有する蓋部５とスタンド部６が一体に形成されていて、蓋部５を凹部３に装着することにより蓋体２が筐体１に対して一体的に取り付けられるように構成されている。
【０００８】
【発明が解決しようとする課題】
しかしながら、このような先行技術に係る電子機器においては、筐体１に対して着脱自在に装着される蓋体２を備えており、その蓋体２には電源コード等のコード類が挿通される切欠き部７が設けられているが、その切欠き部７は、単に蓋体２に切欠きを設けただけに過ぎないものであった。そのため、切欠き部７から電源コードや接続ケーブル等のコード類を引き出した場合にも、コードやケーブルが複数本に及ぶ場合には、コードやケーブルが互いに結束されることがなく、コード類がバラバラとなることから煩雑さが残るものがほとんどであった。
【０００９】
更に、図１０に示す電子機器のように、蓋体２の２面からコード類を引き出すことができる電子機器の場合には、ケーブル等を引き出さない不使用面の切欠き（或いは穴）において不要な開口部のみが露出されることから、コード類の処理が不十分なものとなり、見た目が悪くて見る者に煩雑さを与えるだけで美感の面で劣るという課題があった。
【００１０】
【発明が解決しようとする課題】
本発明は、このような従来の課題に鑑みてなされたものであり、蓋体に直線状の長溝と、この長溝の底部に開口される穴とを設けることにより、この長溝及び穴から引き出される電源コードや接続ケーブル等のコード類に方向性を与えると共に、外部に引き出されたコード類を意識することなく縦置き、横置き、平置き、壁掛け設置等のように自由な設置が可能な電子機器を提供することを目的としている。
【００１１】
【課題を解決するための手段】
上述したような課題を解決し、上記目的を達成するために、本出願の請求項１記載の電子機器は、電子機器本体が収納される筐体に対して着脱自在に装着される蓋体を有し、電子機器本体に接続されたコード類を蓋体に設けられた穴から引き出すようにした電子機器において、蓋体に、穴が底部に設けられ且つ直線状に延在されて端部まで達する長溝を設けたことを特徴としている。
【００１２】
本出願の請求項２記載の電子機器は、蓋体は、筐体の少なくとも２面に渡る平面部を有し、長溝は、平面部の１面に延在されると共に平面部の他の面に一端が開口するように形成され、穴は他の面と反対側に開口されていることを特徴としている。
【００１３】
本出願の請求項３記載の電子機器は、長溝の底部には、コード類の引き出し方向を規制するため長溝と同方向に延在された面支持部を設けたことを特徴としている。
【００１４】
本出願の請求項４記載の電子機器は、長溝は、断面形状が円弧状、逆台形状又はコ字状をなす樋状をなしており、その底部に穴を延在させて一端に開口させたことを特徴としている。
【００１５】
本出願の請求項５記載の電子機器は、蓋体及び／又は筐体には、スタンドが取り付けられる取付部を設けたことを特徴としている。
【００１６】
上述のように構成したことにより、本出願の請求項１記載の電子機器では、蓋体に設けた穴にコード類を挿通し、そのコード類を長溝に沿って延在させて外部に引き出すことにより、コード類を一まとめにして方向付けて引き出すことができると共に、引き出されたコード類を意識することなく、縦置き、横置き、平置き、壁掛け設置等のように自由な電子機器の設置を可能とすることができる。
【００１７】
本出願の請求項２記載の電子機器では、平面部の一面に設けられた穴には開口が形成されているためその開口から穴内にコード類を簡単且つ迅速に挿通できると共に、長溝に沿ってコード類を沿わせることにより長溝方向に方向付けて引き出すことができ、この種の電子機器における自由な設置を容易に実現することができる。
【００１８】
本出願の請求項３記載の電子機器では、長溝の一部に面支持部が設けられているため、この面支持部にコード類を沿わせることにより、コード類に方向付けて引き出すことができる。
【００１９】
本出願の請求項４記載の電子機器では、長溝の断面形状が円弧状、逆台形状又はコ字状をなす樋状からなり、その底部に穴を延在させて一端に開口させているため、複数種類のコードを一まとめにして所望の方向に向けて引き出すことができる。
【００２０】
本出願の請求項５記載の電子機器では、蓋体及び筐体の任意の取付部にスタンドを取り付けることにより、電子機器を、縦置き、横置き、壁掛け等の任意の姿勢によって支持することができる。
【００２１】
【発明の実施の形態】
以下、本発明の電子機器の実施の形態について添付図面を参照して説明する。図１〜図９は、本発明の電子機器の一実施例としてＤＶＤ（デジタルバーサタイルディスク）プレーヤに適用した実施の例を示すものである。しかしながら、本発明はこの実施例に限定されるものではなく、電源コードや信号ケーブル等のコード類を電子機器本体と接続し、接続されたコード類を蓋体に設けた穴から外部に引き出して使用する電子機器、例えば、コンパクトＤＶＤプレーヤ、ラジオカセットレコーダ、家庭用テレビゲーム、ＣＤプレーヤ、その他の電子機器に適用できるものである。
【００２２】
即ち、図１は本発明の電子機器の一実施例を示すＤＶＤプレーヤの蓋体を取り除いた背面側の斜視図、図２は同じく正面側から見た斜視図、図３は蓋体の斜視図、図４は筐体に装着された蓋体からコード類を引き出した状態を示す説明図、図５はＤＶＤプレーヤの壁掛け設置状態を示す説明図、図６はＤＶＤプレーヤにＤＶＤを挿入する状態を示す説明図、図７は図５のＤＶＤプレーヤにＤＶＤを挿入する際の状態を示す説明図、図８はＤＶＤプレーヤの縦置き状態を示す背面側から見た斜視図、図９はＤＶＤプレーヤの横置き状態を示す正面側から見た斜視図である。
【００２３】
このＤＶＤプレーヤ１０は、図１及び図２に示すように平面形状が略四角形をなす中空の筐体１１と、この筐体１１に対して着脱自在に装着される蓋体１２とを備えている。筐体１１は、前面及び後面が開口された中空のトンネル状直方体からなるメインボディ１３と、このメインボディ１３の前面を覆うフロントパネル１４と、メインボディ１３の背面に取り付けられたリアパネル１５とを有している。
【００２４】
メインボディ１３は、上下方向に重ね合わされる上部プレート１３ａと下部プレート１３ｂとによって構成されている。上部プレート１３ａの幅方向中央部には、長手方向に連続する観察窓１６が設けられている。観察窓１６は、上部プレート１３ａに対して透明な合成樹脂を一体成形することによって形成されており、この観察窓１６から筐体１１の内部が観察できるようになっている。
【００２５】
また、下部プレート１３ｂの幅方向中央部には、上部プレート１３ａの観察窓１６に合わせた釣合溝１７が設けられている。この釣合溝１７の両側で前面側には、筐体１１を壁に掛けて取り付けるための掛け止め穴１８が左右対称に設けられている。掛け止め穴１８は、壁に取り付けられる図示しない止めネジの頭部が挿入される挿入部１８ａと、この挿入部１８ａの上部に連続された細い溝状の係止部１８ｂとによって形成されている。更に、下部プレート１３ｂの四隅には、摩擦抵抗の大きな合成樹脂によって形成された滑り止め片１９が固定されている。
【００２６】
図２及び図７等に示すように、メインボディ１３の前面は、平面から見た形状が略Ｖ字状をなす左右対称の緩やかな曲線とされていて、この曲線部分にフロントパネル１４が装着されている。フロントパネル１４の前面もメインボディ１３の前面と同様な曲面形状とされており、中央部が緩やかな曲面として窪んでいて、その中央部から左右両側に対称に連続するサイン曲線のような緩やかな曲線によってせり出されている。このような曲面形状でフロントパネル１４の前面を形成した理由は、後述する作用の説明において一緒に述べるようにする。
【００２７】
フロントパネル１４は横長の板状部材からなり、上部プレート１３ａ側には長手方向に連続するＤＶＤを出し入れするためのスリット状のディスク出入口２０が設けられている。従って、ディスク出入口２０の形状もフロントパネル１４の前面に倣って同様に、略Ｖ字状をなす緩やかな曲面とされている。そして、ディスク出入口２０の一側には、図示しないディスクローディング機構によるＤＶＤ８の排出動作を実行させるためのイジェクト釦２１が設けられている。更に、フロントパネル１４の前面の一側には電源スイッチ２２ａが設けられ、他側にはプレイ、早送り、停止等の操作スイッチ２２ｂが設けられている。
【００２８】
このフロントパネル１４の内側に、図示しない電子機器本体であるＤＶＤプレーヤ本体が収納されている。このＤＶＤプレーヤ本体は、ＤＶＤ８をチャッキングして回転駆動するディスクドライブ装置と、これにより回転駆動されるＤＶＤ８に対して情報信号の記録及び／又は再生を行う光学ピックアップ装置と、ＤＶＤ８をディスクドライブ装置とディスク出入口２０との間に搬送するディスクローディング機構等によって構成されている。
【００２９】
また、図１及び図４等に示すように、メインボディ１３の底面後部には切欠き部２３が設けられている。この切欠き部２３の内側に、ＤＶＤプレーヤ本体と電気的に接続された接続部２４が設けられている。この接続部２４は、映像や音声等の入出力端子、Ｓ映像の入出力端子等を有している。更に、接続部２４には電源コード２５が導出され、電源コード２５の先端部には電源プラグ２６が取り付けられている。
【００３０】
このメインボディ１３の背面にリアパネル１５が配置され、固定ネジ２７による固定手段によってリアパネル１５が固定されている。リアパネル１５は、底面側が開口されたコ字状の部材からなり、その開口部とメインボディ１３の凹部とによってコードやケーブル等を収納するための空間からなるコード収納部２８が構成されている。このコード収納部２８が、蓋体１２によって開閉自在とされている。
【００３１】
この蓋体１２の表面がメインボディ１３及びリアパネル１５の表面より低くなるようにするため、メインボディ１３及びリアパネル１５には、蓋体１２を嵌め込むことができる凹部２９が設けられている。この凹部２９には、蓋体１２の弾性片が係合される複数の係合穴３０ａと、メインボディ１３に対する蓋体１２の位置決めをなすための位置決め片が係合される複数の位置決め穴３０ｂとが設けられている。
【００３２】
蓋体１２は、図３に示すような構成とされている。即ち、蓋体１２は、コード収納部２８のリアパネル１５側を閉じる背面部１２ａと、コード収納部２８のメインボディ１３側を閉じる底面部１２ｂとを有している。背面部１２ａと底面部１２ｂは、背面部１２ａの一側から底面部１２ｂが立ち上がるように断面Ｌ字状に形成されており、底面部１２ｂの略中央部に樋状の長溝３２が設けられている。
【００３３】
長溝３２は、背面部１２ａに対して垂直に交差するよう直線状に延在されており、この長溝３２の底部に底面部１２ｂを貫通する穴３３が設けられている。この穴３３は長溝３２に沿って直線状に延在されていて、一端は背面部１２ａと反対側に開口され、他端は背面部１２ａの近傍まで延在されている。この穴３３を背面部１２ａに至る手前で止めることにより、長溝３２の底部が所定範囲で残留される面支持部３４が設けられている。この面支持部３４は、コード類の引き出し方向を規制するもので、長溝３２の底部において当該長溝３２と同方向に延在されている。
【００３４】
また、背面部１２ａの外縁と底面部１２ｂの外縁には、蓋体１２を筐体１１に係合させるための複数の係合爪３５ａ，３５ｂが設けられている。これら係合爪３５ａ，３５ｂは、底面部１２ｂが展開される面方向にそれぞれ延在されていて、筐体１１の係合穴３０ａにそれぞれ係合可能とされている。更に、底面部１２ｂには、筐体１１に対して蓋体１２を位置決めするため２個の位置決め突起３６が設けられている。２個の係合爪３５ｂと２個の位置決め突起３６は、長溝３２を挟んで両側にそれぞれ１個ずつ配置されている。
【００３５】
更に、背面部１２ａの略中央部には、スタンド台３７を取り付けるための取付部３８が設けられている。この取付部３８は、スタンド台３７を挟持するための締付ネジが螺合されるネジ穴３８ａと、蓋体１２に対してスタンド台３７を位置決めするための２個の位置決め穴３８ｂ，３８ｂを有している。図８に示すように、取付部３８と同様の構成を有する取付部３９が筐体１１の側面の略中央部にも設けられている。図３等に示す４０は、滑り止め用の指掛け部である。
【００３６】
この蓋体１２及び筐体１１の材質としては、例えば、ＡＢＳ樹脂等のプラスチックが好適であるが、その他のプラスチックを用いることができることは勿論のこと、ステンレス鋼、スチール鋼その他の金属を用いることもできる。この場合、蓋体１２については少なくとも底面部１２ｂに可撓性を付与し、筐体１１に対して蓋体１２を着脱する際に、底面部１２ｂに適当な力を加えることにより撓みを生じて係合爪３５ａ，３５ｂが係合穴３０ａから外れるようにすることが好ましい。
【００３７】
このような構成を有するＤＶＤプレーヤ１０によれば、次のようにして、任意の形態で所望の位置に設置することができる。このＤＶＤプレーヤ１０とディスプレイやスピーカ装置その他の外部装置及び家庭用電源との接続は、筐体１１の背面から電源コード２５や信号ケーブル４１その他のコード類を引き出すことによって行われる。
【００３８】
筐体１１の背面下部には接続部２４が設けられており、この接続部２４に、所定の信号ケーブルや接続コード、例えば、映像信号ケーブル、音声信号ケーブル等の一端を接続する。そして、これらの信号ケーブル４１及び電源コード２５を一まとめにして蓋体１２の穴３３に挿通する。この場合、蓋体１２の穴３３は、その一部が底面部１２ｂの一外縁に開口されているため、その開口側から簡単に挿入することができる。
【００３９】
次に、コード類が挿通された蓋体１２を筐体１１のリアパネル１５側に臨ませ、複数の係合爪３５ａ，３５ｂをコード収納部２８の対応する複数の係合穴３０ａに対向させる。これと同時に、底面部１２ｂの複数の位置決め突起３６をコード収納部２８の対応する複数の位置決め穴３０ｂに対向させる。この状態から、蓋体１２をリアパネル１５側に押し込み、各係合爪３５ａ，３５ｂを各係合穴３０ａに係合させる。これにより、図４に示すように、蓋体１２が筐体１１の所定位置に装着され、蓋体１２の穴３３から電源コード２５や信号ケーブル４１が一まとめにされて取り出される。
【００４０】
このとき、電源コード２５及び信号ケーブル４１は、穴３３が底部に設けられた長溝３２内に収納され、その長溝３２に導かれて背面部１２ａ側に取り出される。そのため、２種類或いは３種類以上のコード類が引き出される場合においても、コード類が筐体１１及び蓋体１２の背面から膨出されることがなく、筐体１１の底面を支持面にピッタリ接触させることができる。尚、この実施例では、メインボディ１３の四隅に滑り止め片１９を設けているため、これら４個の滑り止め片１９のみが載置面に接触される。
【００４１】
このような取付形態は、例えば、図５に示すような壁掛け設置方式として実現される。図５は、筐体１１の底面に設けた２個の掛け止め穴１８を用いて壁面４２にＤＶＤプレーヤ１０を取り付けた状態を示すものである。このため、壁面４２には図示しないが、掛け止め穴１８に頭部が挿入される支持ネジが同じ数だけ設けられている。更に、壁面４２には、額縁状の薄型ディスプレイ４３が取り付けられている。そして、ＤＶＤプレーヤ１０及びディスプレイ４３から引き出されたコード類４４ａ，４４ｂが床部分でまとめられ、そのコード類４４が家庭用電源その他の必要な部分まで延長されている。
【００４２】
このようなＤＶＤプレーヤ１０に対するＤＶＤ８の挿入・排出操作は、例えば、図６に示すような状態で行うことができる。図６は、ＤＶＤ８の外周縁に親指を掛け、センタ穴に人指し指を掛けて把持した状態を示している。この場合、ＤＶＤ８が出し入れされるディスク出入口２０が平面方向から見て緩やかな曲面からなるＶ字型に形成されているため、ＤＶＤ８が傾いた状態でディスク出入口２０に挿入されたときにも情報記録面を傷つけることがなく、また、ＤＶＤ８の排出ストロークに比べてセンタ穴を大きく露出させて掴み易くすることができる。
【００４３】
即ち、ディスク出入口２０が上述した形状を有するため、ＤＶＤ８の最大外径部がディスク出入口２０の両側部に達したとき、ディスク出入口２０の中央部では内側に凹んでいるため、まだセンタ穴の全体が大きく露出されている。そのため、ＤＶＤ８の移動ストロークが少ないにも係らず、センタ穴を十分に露出させることができる。従って、ＤＶＤ８を取り扱う際のＤＶＤ８のつかみ所であるセンタ穴と外周縁を利用して、簡単且つ安定性良く掴むことができ、スムースな挿抜操作を実現することができる。
【００４４】
これに対して、先行技術として説明した先の出願においては、図１１に示すような形状を有するＤＶＤプレーヤが記載されている。ＤＶＤプレーヤ５０は筐体５１を備えており、その筐体５１は、立方体とされた本体部５１ａと、この本体部５１ａの上部に一体に設けられた上層部５１ｂと、この上層部５１ｂの上面を覆う天井部５１ｃとを有している。本体部５１ａの正面には、操作情報や制御情報等を表示する表示部５２と、操作信号や制御信号等を入力する各種の操作スイッチ５３，５４が設けられている。
【００４５】
筐体５１の上層部５１ｂは前面及び左右側面の長さを短くすることによって括れたような形状とされており、これにより上層部５１ｂの周囲にはテラスのように張り出した部分が設定されている。この上層部５１ｂの正面にディスク出入口５５が設けられている。このディスク出入口５５の左右方向の中央部には、円弧状に窪んだディスク把持部５６が設けられている。このような形状のディスク把持部５６を設けることにより、ＤＶＤ８のセンタ穴が容易に露出されるようにしてＤＶＤ８を掴み易くする考慮がなされている。尚、筐体５１の天井部５１ｃには、内部を観察するための観察窓５７が設けられている。
【００４６】
また、ＤＶＤ８の挿抜に際して、この実施例のフロントパネル１４の前面形状が情報記録面を傷つけない理由は、次のようなことによる。図７に示すように、ＤＶＤ８をディスク出入口２０に対して傾けて挿入しても、挿入途中においてＤＶＤ８の外周縁がディスク出入口２０の周縁部に当たることから、情報記録面や信号呼び出し面がディスク出入口２０の周縁部に当たらないようにすることができる。
【００４７】
即ち、図７において、ＤＶＤ８がディスク出入口２０に挿入されると、まず、第１の位置においてＤＶＤ８ａの外周縁が、点Ａで示すように、ディスク出入口２０の中央部の１点で出入口周縁部に当接する。次に、ＤＶＤ８を若干挿入して第２の位置にＤＶＤ８ｂが移動すると、点Ｂで示すように、ＤＶＤ８ｂの外周縁と出入口周縁部との当接点が急激に両外側に移動する。
【００４８】
その結果、ディスク出入口２０の中央部を情報記録面が移動する距離に比べて当接点が出入口周縁部を外側に移動する距離が大幅に大きいため、その当接点の移動によってＤＶＤ８の姿勢をディスク挿入方向に修正することができる。これにより、情報記録面が出入口周縁部に接触する可能性を減少させることができ、出入口周縁部によって情報記録面が傷つけられるおそれを大幅に減少させることができる。
【００４９】
更に、ＤＶＤ８を少し挿入することにより、第３の位置にＤＶＤ８ｃが移動すると、点Ｃで示すように、ＤＶＤ８ｃの外周縁と出入口周縁部との当接点が外端部に近い位置まで移動する。この状態までくると、左右の当接点Ｃ，ＣによってＤＶＤ８の姿勢変化が大きく矯正され、略水平状態に修正される。そのため、出入口周縁部によって情報記録面が傷つけられるおそれを完全に取り除くことができる。
【００５０】
また、ＤＶＤ８を半分程度挿入し、第４の位置にＤＶＤ８ｄが移動すると、点Ｄで示すように、ＤＶＤ８ｄの外周縁と出入口周縁部との当接点が最外端部まで移動する。そのため、この状態では、ＤＶＤ８の情報記録面が出入口周縁部によって傷つけられるおそれがまったくなくなる。
【００５１】
更に又、ＤＶＤ８を３分の２程度挿入し、第５の位置にＤＶＤ８ｅが移動すると、点Ｅで示すように、ＤＶＤ８ｄの姿勢が略水平状態に修正される。そのため、ＤＶＤ８の情報記録面が出入口周縁部によって傷つけられることがなくなる。
【００５２】
図８は、ＤＶＤプレーヤ１０を、スタンド３７を用いて縦置きにして使用する状態を示すものである。ここで、スタンド３７は、平面形状が楕円形をなす安定性を考慮した板状の部材によって形成されている。このスタンド３７は、筐体１１又は蓋体１２に対して着脱自在とされていて、図示しない締付ネジで底面側から締め付けることにより着脱自在に取り付けられる。このスタンド３７を着脱自在とするため、蓋体１２には図３に示すように蓋側取付部３８が設けられ、また、筐体１１には筐体側取付部３９が設けられている。
【００５３】
これら取付部３８，３９のうち、蓋体側取付部３８にスタンド３７を取り付けることにより、図８に示すように、水平な載置面に対してスタンド３７を介してＤＶＤプレーヤ１０を縦置きにして設置することができる。これにより、ＤＶＤプレーヤ１０は縦長の置物のような状態で支持され、ＤＶＤ８が出し入れされるディスク出入口２０が上面に設置される。従って、ＤＶＤ８は、ＤＶＤプレーヤ１０に対して上方から出し入れされる。
【００５４】
この場合、スロットイン・タイプのディスク記録及び／又は再生装置において、ディスク出入口２０が設置されたＤＶＤプレーヤ１０の上面は、中央部が低くなっていて幅方向の外側から内側にＤＶＤ８を案内し易い形状とされている。そのため、ディスク出入口２０の位置、特に、中央部を認知し易い形状となっており、従ってＤＶＤ８を出し入れすることが容易であり、この種装置の使い勝手を向上させる効果がある。
【００５５】
また、図７に示すように、ＤＶＤ８を前後方向に傾けた状態でディスク出入口２０に挿入した場合にも、挿入の直後からＤＶＤ８の外周縁の２箇所がディスク出入口２０の周縁に当たるため、外周縁から所定距離内側に設定された情報記録面や信号呼び出し面がディスク出入口２０の周縁に当たるのを防止することができ、ＤＶＤ８の挿脱時に情報記録面等が傷付けられるのを防止することができる。更に、図６に示すように、ＤＶＤ８の挿脱時において、ＤＶＤ８を取り扱う上での掴みどころであるセンタ穴をフロントパネル１４の前面に十分に露出させることができるため、そのセンタ穴と外周縁を掴んで確実に保持することができ、安定したローディング・イジェクトを可能とすることができる。
【００５６】
また、筐体側取付部３９にスタンド３７を取り付けることにより、図９に示すように、水平な載置面に対してスタンド３７を介してＤＶＤプレーヤ１０を横置きにして設置することができる。これにより、ＤＶＤプレーヤ１０は横長の置物のような状態で支持され、ＤＶＤ８が出し入れされるディスク出入口２０が前面において縦長の状態で設置される。従って、ＤＶＤ８は、ＤＶＤプレーヤ１０に対して前方から立てた状態で出し入れされる。
【００５７】
尚、ＤＶＤプレーヤ１０は、図２に示すように、載置面に対して平らに置いた平置き状態でしようできることは勿論である。また、載置面が水平面ではなく、斜めに傾いた状態であってもよいことは、勿論である。
【００５８】
以上説明したが、本発明は上記実施例に限定されるものではなく、例えば、上記実施例では、ＤＶＤ８に記録された情報の読出し（再生）を専用に行うＤＶＤプレーヤ１０について説明したが、情報の記録のみを行う記録専用のディスク記録装置、情報の記録と再生の両方を行うことができるディスク記録再生装置に適用できることは勿論である。更に、電子機器としてもＤＶＤプレーヤ１０に限定されるものではなく、ＣＤその他のディスク状記録媒体を使用する電子機器例えば、ＣＤプレーヤ、ＭＤプレーヤ、パーソナルコンピュータ、ビデオテープレコーダ、テレビゲーム機その他各種の電子機器に適用できるものである。
【００５９】
【発明の効果】
以上説明したように、本出願の請求項１記載の電子機器によれば、蓋体に設けた穴にコード類を挿通し、そのコード類を長溝に沿って延在させて外部に引き出す構成としたため、コード類を一まとめにして方向付けて引き出すことができると共に、引き出されたコード類を意識することなく、縦置き、横置き、平置き、壁掛け設置等のように自由な電子機器の設置を可能とすることができる。しかも、電子機器の一面以外にはコード類の引き出しのための穴が露出することがないから、コード類の始末の煩雑さをなくすことができ、電子機器を安定性よく設置できるという効果を得ることができる。
【００６０】
本出願の請求項２記載の電子機器によれば、平面部の一面に設けられた穴に開口を形成する構成としたため、その開口から穴内にコード類を簡単且つ迅速に挿通できると共に、長溝に沿ってコード類を沿わせることにより長溝方向に方向付けて引き出すことができ、この種の電子機器における自由な設置を容易に実現することができるという効果を得ることができる。
【００６１】
本出願の請求項３記載の電子機器によれば、長溝の一部に面支持部を設ける構成としたため、この面支持部にコード類を沿わせることにより、コード類に方向付けて引き出すことができるという効果を得ることができる。
【００６２】
本出願の請求項４記載の電子機器によれば、長溝の断面形状が円弧状、逆台形状又はコ字状をなす樋状としたため、その底部に穴を延在させて一端に開口させ、複数種類のコードを一まとめにして所望の方向に向けて引き出すことができるという効果を得ることができる。
【００６３】
本出願の請求項５記載の電子機器によれば、蓋体及び筐体の任意の取付部にスタンドを取り付ける構成としたため、電子機器を、縦置き、横置き、壁掛け等の任意の姿勢によって支持することができるという効果を得ることができる。
【図面の簡単な説明】
【図１】本発明の電子機器の一実施例を示すＤＶＤプレーヤの筐体を、蓋体を取り除いて背面側から見た斜視図である。
【図２】本発明の電子機器の一実施例を示すＤＶＤプレーヤを正面側から見た斜視図である。
【図３】本発明の電子機器に係る蓋体を示す斜視図である。
【図４】本発明の電子機器の一実施例を示すＤＶＤプレーヤの背面側の要部を示すもので、蓋体からコード類を引き出した状態を示す斜視図である。
【図５】本発明の電子機器の一実施例を示すＤＶＤプレーヤを壁に掛けて設置した使用状態を示す説明図である。
【図６】本発明の電子機器の一実施例を示すＤＶＤプレーヤに対するＤＶＤの挿入・排出操作を説明するための説明図である。
【図７】本発明の電子機器の一実施例を示すＤＶＤプレーヤにＤＶＤを挿入する状態を説明する説明図である。
【図８】本発明の電子機器の一実施例を示すＤＶＤプレーヤの蓋体にスタンドを取り付けて縦置きに設置した状態を背面側から見た斜視図である。
【図９】本発明の電子機器の一実施例を示すＤＶＤプレーヤの筐体にスタンドを取り付けて横置きに設置した状態を正面側から見た斜視図である。
【図１０】先行技術に係るＤＶＤプレーヤの筐体に蓋体を装着する状態を示す説明図である。
【図１１】先行技術に係るＤＶＤプレーヤの正面側から見た斜視図である。
【符号の説明】
８　ＤＶＤ、　１０　ＤＶＤプレーヤ、　１１　筐体、　１２　蓋体、　１２ａ　背面部、　１２ｂ　底面部、　１４　フロントパネル、　１５　リアパネル、　１８　掛け止め部、　２０　ディスク出入口、　２５　電源コード、　２８コード収納部、　２９　凹部、　３２　長溝、　３３　穴、　３４　面支持部、　３７　スタンド、　３８，３９　取付部、　４１　信号ケーブル、　４４ａ，４４ｂ　コード類
【図１】
2004071770.tif 000003
【図２】
2004071770.tif 000004
【図３】
2004071770.tif 000005
【図４】
2004071770.tif 000006
【図５】
2004071770.tif 000007
【図６】
2004071770.tif 000008
【図７】
2004071770.tif 000009
【図８】
2004071770.tif 000010
【図９】
2004071770.tif 000011
【図１０】
2004071770.tif 000012
【図１１】
2004071770.tif 000013